(57)【要約】【課題】  カードコネクタ組立体を小型化しても、カードを挿入する際にカードの前端（先端）がカード受容開口に衝突することを防止して円滑にカード受容開口に挿入することができるようにする。【解決手段】  カードコネクタ組立体１は、カード受容開口４２を有するフレーム４と、このフレーム４にカード受容開口４２と反対側に取付けられて、フレーム４に挿入されたカード１６と電気的に接続されるコネクタ部２と、フレーム４の側部に取付けられた、挿入されたカード１６を排出するイジェクト機構部６とを備え、イジェクト機構部６がカード１６の挿抜方向に沿って摺動する操作桿４０を有する。操作桿４０のカード受容開口４２側の端部に押圧ノブ４８が設けられ、この押圧ノブ４８に、挿入されるカード１６をカード受容開口４２に案内するガイド部６６が形成されている。【選択図】          図１
2005025699.tif 000002
【特許請求の範囲】
【請求項１】
カード受容開口を有するフレームと、前記カード受容開口と反対側で前記フレームに取付けられ、該フレームに挿入されたカードと電気的に接続されるコネクタ部と、前記フレームの側部に取付けられた、挿入された前記カードを排出するイジェクト機構部とを備え、該イジェクト機構部が前記カードの挿抜方向に沿って摺動する操作桿を有するカードコネクタ組立体において、
前記操作桿の前記カード受容開口側の端部に押圧ノブが設けられ、該押圧ノブに、挿入される前記カードを前記カード受容開口に案内するガイド部が形成されてなることを特徴とするカードコネクタ組立体。
【請求項２】
前記ガイド部が、前記カード受容開口の側縁部の前方に位置し、且つ、前記カードの先端角部を案内するテーパを有する、前記押圧ノブに設けられた突部であることを特徴とする請求項１記載のカードコネクタ組立体。
【発明の詳細な説明】
【技術分野】
【０００１】
本発明は、パーソナルコンピュータ等に組み込まれるカードコネクタ組立体に関し、特に、ノートブック型パーソナルコンピュータ等の小型のコンピュータ等に組み込まれるカードコネクタ組立体に関するものである。
【背景技術】
【０００２】
一般的に、ＰＣＭＣＩＡ(Personal Computer Memory Card International Association)規格準拠のＰＣカード等を受容するカードコネクタ組立体には、このカードコネクタ組立体に挿入されたカードを排出するイジェクト機構部が設けられている。通常、このイジェクト機構部はカードを受容するフレームの側部に取付けられており、イジェクト機構部の押圧ノブを押すことにより、挿入されているカードを排出するようになっている。
【０００３】
従来、この種のカードコネクタ組立体として、イジェクト機構付きコネクタが知られている（特許文献１、図２）。このイジェクト機構付きコネクタは、イジェクト機構の押圧ノブが、カード受容開口に近接してフレーム部の側部に配置されている。この押圧ノブとカード受容開口との間には、フレーム部の板厚に相当するギャップが存在する。  
【特許文献１】特開２００２−１１０２８６号公報
【発明の開示】
【発明が解決しようとする課題】
【０００４】
上記従来技術にあっては、カード受容開口および押圧ノブの間には、少なくともフレームの板厚に相当するギャップがあるので、カードを挿入する際、カードの前端がフレームの前端に衝突してカードを円滑に挿入することができなくなる場合があり得る。イジェクト機構と、カード受容開口が離隔している場合は、組立体を収容する筐体に挿入されるカードを案内するガイドを設けることができる。しかし、筐体の小型化にともなって、組立体も小型化して、イジェクト機構部とカード受容開口が近接する傾向にあるので、筐体側にガイドを設けることが困難となってきている。
【０００５】
本発明は、上記事情に鑑み、カードコネクタ組立体が小型であっても、カードを挿入する際にカードの前端（先端）がカード受容開口に衝突することを防止して、円滑にカード受容開口に挿入することができるカードコネクタ組立体を提供することを目的とするものである。
【課題を解決するための手段】
【０００６】
本発明のカードコネクタ組立体は、カード受容開口を有するフレームと、カード受容開口と反対側でフレームに取付けられ、フレームに挿入されたカードと電気的に接続されるコネクタ部と、フレームの側部に取付けられた、挿入されたカードを排出するイジェクト機構部とを備え、イジェクト機構部がカードの挿抜方向に沿って摺動する操作桿を有するカードコネクタ組立体において、操作桿のカード受容開口側の端部に押圧ノブが設けられ、押圧ノブに、挿入されるカードをカード受容開口に案内するガイド部が形成されてなることを特徴とするものである。
【０００７】
また、上記ガイド部は、カード受容開口の側縁部の前方に位置し、且つ、カードの先端角部を案内するテーパを有する、押圧ノブに設けられた突部とすることができる。
【発明の効果】
【０００８】
本発明の組立体によれば、カードの挿抜方向に沿って摺動する操作桿のカード受容開口側の端部に押圧ノブが設けられ、押圧ノブに、挿入されるカードをカード受容開口に案内するガイド部が形成されているので、カードを挿入する際のカードの前端がフレームに衝突することを防止して円滑にカード受容開口に挿入することができる。イジェクト機構部とカード受容開口との間の間隔が狭く、機器の筐体側にカードを案内するガイドを設けることができない組立体に使用することができるので、組立体を小型化することができる。
【０００９】
また、ガイド部が、カード受容開口の側縁部の前方に位置し、且つ、カードの先端角部を案内するテーパを有する、押圧ノブに設けられた突部である場合は、極めて簡単な構成の安価なガイドを効果的に設けることができる。
【発明を実施するための最良の形態】
【００１０】
以下、本発明のカードコネクタ組立体（以下、単に組立体という）の実施の形態について、添付図を参照して説明する。図１は本発明の組立体の平面図を示す。図２は、図１の組立体を示し、図２（Ａ）は正面図、図２（Ｂ）は左側面図、図２（Ｃ）は右側面図を夫々示す。以下、図１及び図２を参照して説明する。
【００１１】
組立体１は、フレーム４とイジェクタ部６からなるフレーム組立体２４およびコネクタ部２から構成されている。図１に仮想線で示すカード１６は、組立体１に完全に挿入された状態を示している。コネクタ部２は、絶縁性の合成樹脂から成型された概ね矩形形状のハウジング１２を有する。ハウジング１２の内部には、前方即ち図１において下方に向いて開放したキャビティ５が形成されている。このキャビティ５内にカード１６の先端部を受容するようになっている。このコネクタ部２の後壁１０には、その長手方向に沿って多数のコンタクト８が植設されている。コンタクト８の一端８ｂ（図２（Ａ））は、ハウジング１２内に突出してカード１６の対応するコンタクト(図示せず)と電気的に接続され、他端即ちタイン８ａは、後壁１０から外部に突出して基板１４(図２（Ａ）)に接続される。
【００１２】
ハウジング１２内には、挿入されたカード１６を排出するための揺動バー１８が図１において矢印２０で示す方向に揺動可能に配置されている。揺動バー１８は、一端部１８ａが露出し、この一端部１８ａとは逆方向に移動する図示しない他端部はハウジング１２内に位置する。揺動バー１８は、従来よく知られた構成であるので、ここでは詳細な説明は省略する。ハウジング１２の後端両側には、ハウジング１２を基板１４にねじ止めして固定するためのねじ挿通孔２２が穿設されている。
【００１３】
次に、フレーム組立体２４について図３及び図４を合わせて参照して説明する。図３は、図１の組立体１に使用されるフレーム組立体２４を示し、図３（Ａ）は平面図、図３(Ｂ)は正面図を夫々示す。図４は図３のフレーム組立体２４の側面図を示し、図４（Ａ）は右側面図、図４（Ｂ）は左側面図を夫々示す。なお図３及び図４のフレーム組立体２４は、図１及び図２に示すフレーム組立体２４と表裏逆の関係に配置されている。
【００１４】
フレーム４は、１枚の金属板を打ち抜き、折り曲げて断面略コ字状に形成される。フレーム４の後端（図３（Ａ）における上端）両側には、ハウジング１２に取付けられる取付部７が形成されており、前端側は前方に開放したカード受容開口４２となっている。フレーム４の主面２８の幅方向両側には側壁２６（２６ａ、２６ｂ）が折り曲げにより形成されている。側壁２６には、基板１４の上面１４ａ（図２（Ａ））に配置される取付タブ３０（３０ａ、３０ｂ）が折り曲げにより形成されている。取付タブ３０には基板１４へ取り付けられるねじ（図示せず）を挿通する取付孔３２が穿設されている。主面２８に３で示されているのは肉抜きの孔である。
【００１５】
図３（Ｂ）に示すように、フレーム４の両側壁２６の内側即ち側壁２６ａ、２６ｂの対向面には、側壁２６から切り起こしによって形成されたガイドリブ３４が形成されている。また、主面２８の内面側の両側壁２６近傍には、切り起こしによりガイドリブ３６が形成されている。これらのガイドリブ３４、３６はカード１６の挿抜方向に沿って複数箇所に形成されており、カード１６の挿抜時にカード１６の上下方向の移動を規制してガイド（案内）するようになっている。また、カード１６の左右方向のガイドは側壁２６により行われる。
【００１６】
フレーム４の側壁２６ｂには、イジェクト機構部６が取付けられている。このイジェクト機構部６の一部である金属性のカバー部材３６は、側壁２６ｂに取付けられている。このカバー部材３６は側壁２６ｂに沿って延びており、断面は略コ字状に形成されている。カバー部材３６と側壁２６ｂは、カバー部材３６に形成された係止片３６ａと側壁２６bの係合片２６ｃとが互いに係合して係止される。カバー部材３６と側壁２６ｂとの間には、操作桿４０の厚さより若干大きい間隙’（図示せず）が形成されている。この間隙にはイジェクト機構部６の操作桿４０が、カード１６の挿抜方向と同じ方向に摺動可能に配置されている。
【００１７】
次に、この操作桿４０について更に詳細に説明する。操作桿４０は、金属板を打ち抜き、折り曲げて形成された、間隙内をカード１６の挿抜方向に延びる細長い板状の部材である。操作桿４０は、カード受容開口４２側に外方且つ前方に向けて形成された段部４４を経て、カード１６の挿抜方向に延出した押圧ノブ取付部４６が形成されている。押圧ノブ４８はこの押圧ノブ取付部４６に圧入またはオーバーモールドにより取付けられている。他方、操作桿４０の後端には、前述の揺動バー１８の一端部１８ａを押圧してカード１６を排出する押圧バー５０が取付けられている。
【００１８】
操作桿４０および押圧バー５０を含むイジェクト機構部６は、押圧ノブ４８をカード１６の挿入方向５２に沿って押圧すると、操作桿４０に連結された押圧バー５０の後端５０ａが揺動バー１８を押圧駆動して、ハウジング１２内にあるカード１６の先端を、揺動バー１８の前述の他端部が排出方向に押圧してカード１６を排出するようになっている。カード１６を排出した後は、操作桿４０とフレーム４との間に介在している引張りコイルばね５４により操作桿４０が復帰するようになっている。この排出機構は、上記の作用を成すものであればどのような形式でもよい。例えば、前述の従来技術の特開２００２−１１０２８６号公報や特開２００１−２９１５５３号公報に開示されたハートカムを有する、所謂、プッシュプッシュタイプのイジェクト機構でもよいし、他の任意の形式のイジェクト機構でもよい。
【００１９】
次に、本発明の特徴であるイジェクト機構部６の押圧ノブ４８の形状について図５及び図６を参照して説明する。図５は、組立体１のカード受容開口４２近傍の部分拡大図である。図６は押圧ノブ４８をさらに拡大して示す部分拡大図である。なお、図５および図６において、カード１６、筐体５６はシェードにより示してある。図５に示すように組立体１が筐体５６（５６ａ、５６ｂ）内に取付けられると、カード受容開口４２は、筐体５６の内方に位置し、組立体１に挿入されたカード１６の後端１６ｂは、筐体５６から僅かに露出する。
【００２０】
押圧ノブ４８は仮想線で示す突出位置から、実線で示す押圧位置の間を移動することができる。即ち、突出位置にある押圧ノブ４８を押すと、組立体１内に挿入されているカード１６を排出することができる。ここで注目すべき点は、コンピュータ等の機器を小型化するために、筐体５６ａ、５６ｂにより１つの開口５８が形成され、この開口５８内に組立体１の全てが収容されていることである。従って、フレーム４と押圧ノブ４８との間には筐体は介在していない。
【００２１】
次に、イジェクト機構部６の押圧ノブ４８の形状について、図６を参照してさらに詳細に説明する。カード受容開口４２はフレーム４の前端部に形成されているが、フレーム４のイジェクト機構部６側の端部は、フレーム４の側壁２６の端部が折り曲げられて側縁部６０が形成されている。従って、この状態でカード１６をカード受容開口４２に挿入すると、カード１６の先端角部１６ｃがこの側縁部６０に衝突してカード受容開口４２に円滑に挿入できない虞がある。
【００２２】
本発明の組立体１に使用されている押圧ノブ４８は、概ね直方体形状をしており、カード１６の先端角部１６ｃをガイドする機能を有する。押圧ノブ４８は、カード１６の挿抜方向に直交する押圧面６２を有し、押圧ノブ４８の内側面６４には突部(ガイド部)６６が形成されている。この突部６６はフレーム４のカード受容開口４２側縁部６０の前方に位置している。そして、突部６６には、カード１６の先端角部１６ｃを案内するテーパ６８が形成されている。テーパ６８は、図４（Ｂ）に示すように押圧ノブ４８の高さ方向に亘って形成されている。従って、カード１６を挿入する際に、カード１６が上下方向に多少ずれたとしても、カード１６の先端角部１６ｃを円滑にガイドすることができる。これにより、カード１６は、側縁部６０に当接することなく円滑にカード受容開口４２に挿入されることが可能となる。
【００２３】
また、イジェクト機構部６と反対側におけるカード１６のガイドは、筐体５６ｂにテーパ７０を形成することによりカード１６の前端を案内するように構成することができる。
【図面の簡単な説明】
【００２４】
【図１】本発明のカードコネクタ組立体の平面図
【図２】図１のカードコネクタ組立体を示し、（Ａ）は正面図、（Ｂ）は左側面図、（Ｃ）は右側面図を夫々示す。
【図３】図１のカードコネクタ組立体に使用されるフレーム組立体を示し、（Ａ）は平面図、(Ｂ)は正面図を夫々示す。
【図４】図３のフレーム組立体を示し、（Ａ）は右側面図、（Ｃ）は左側面図を夫々示す。
【図５】カードコネクタ組立体のカード受容開口近傍の部分拡大図
【図６】押圧ノブをさらに拡大して示す部分拡大図
【符号の説明】
【００２５】
１    カードコネクタ組立体
２    コネクタ部
４    フレーム
６    イジェクト機構部
１６    カード
１６ｃ    先端角部
４０    操作桿
４２    カード受容開口
４８    押圧ノブ
６０    側縁部
６６    ガイド部
６８    テーパ
【図１】
2005025699.tif 000003
【図２】
2005025699.tif 000004
【図３】
2005025699.tif 000005
【図４】
2005025699.tif 000006
【図５】
2005025699.tif 000007
【図６】
2005025699.tif 000008